(57)【要約】【課題】  盗難や紛失時に不正使用を防止することが可能な携帯通信端末を提供する。【解決手段】  基地局２００から送信されてくる発信信号に含まれる発信者番号と記憶部１０３に予め発信者比較用ＮＯとして登録されている電話番号とを比較し、両方が一致する場合に、装置状態監視部１０８がキーボード部１１０、フリップ部１１２、又はメモリカードスロット部１１４の変化を検出することを契機として、カメラ部１０７で自動撮影を行い、撮影した画像を設定保持部１０５に予め登録してある送信先に自動送信する処理を行う。【選択図】  図１
2005123817.tif 000002
【特許請求の範囲】
【請求項１】
盗難や紛失時に不正使用を防止する機能を有する携帯通信端末であって、
少なくとも画像送信先を記憶する設定記憶部と、
ユーザの指示に応じて自動撮影モードを設定する自動撮影モード設定部と、
前記自動撮影モード設定部が自動撮影モードを設定した後、所定の装置状態の変化を検出する装置状態監視部と、
前記装置状態監視部によって所定の装置状態の変化が検出されたことに応じて、自動で撮影を行うカメラ撮影部と、
前記カメラ撮影部によって撮影された画像を、前記設定記憶部に記憶されている画像送信先へ送信する送信制御部とを備える、携帯通信端末。
【請求項２】
前記装置状態監視部が、所定の装置状態の変化として、キーボード部への入力を検出する、請求項１に記載の携帯通信端末。
【請求項３】
前記装置状態監視部が、所定の装置状態の変化として、端末の外観形状の変化を検出する、請求項１に記載の携帯通信端末。
【請求項４】
前記装置状態監視部が、所定の装置状態の変化として、端末に備えられるメモリカードスロット部の変化を検出する、請求項１に記載の携帯通信端末。
【請求項５】
前記設定記憶部は、さらにカメラ撮影処理判断用の発信者番号を記憶し、
前記自動撮影モード設定部は、電話回線を通してユーザから受信する信号に含まれる発信者番号と、前記設定記憶部に記憶されている発信者番号とを比較し、両方の発信者番号が一致する場合に、自動撮影モードを設定する、請求項１に記載の携帯通信端末。
【請求項６】
前記設定記憶部は、さらにカメラ撮影処理判断用の発信者番号とユーザ認証用の暗証番号とを記憶し、
前記自動撮影モード設定部は、電話回線を通してユーザから受信する信号に含まれる発信者番号と、前記設定記憶部に記憶されている発信者番号とを比較し、両方の発信者番号が一致する場合に、電話回線を通して受信する暗証番号と、前記設定記憶部に記憶されている暗証番号とを比較し、両方の暗証番号が一致する場合に、自動撮影モードを設定する、請求項１に記載の携帯通信端末。
【請求項７】
前記設定記憶部は、さらにユーザ認証用の暗証番号を記憶し、
前記自動撮影モード設定部は、キーボード部を介してユーザから入力される信号に含まれる暗証番号と、前記設定記憶部に記憶されている暗証番号とを比較し、両方の暗証番号が一致する場合に、自動撮影モードを設定する、請求項１に記載の携帯通信端末。
【請求項８】
前記カメラ撮影部は、カメラに写り込む画像と予め登録されてある画像のパターンとを比較し画像認証を行い、認証された画像を自動で撮影する、請求項１に記載の携帯通信端末。
【請求項９】
前記カメラ撮影部で利用される予め登録されてある画像のパターンとは、人間の顔のパターンである、請求項８に記載の携帯通信端末。
【請求項１０】
盗難や紛失時に不正使用を防止するために携帯通信端末が行う方法であって、
前記携帯通信端末にユーザの指示に応じて自動撮影モードを設定するステップと、
前記自動撮影モードを設定するステップが自動撮影モードを設定した後、所定の装置状態の変化を検出するステップと、
前記装置状態検出ステップによって所定の装置状態の変化が検出されたことに応じて、自動で撮影を行うステップと、
前記撮影を行うステップによって撮影された画像を、予め記憶されている画像送信先へ送信するステップとを備える、方法。
【請求項１１】
盗難や紛失時に不正使用を防止するために携帯通信端末が実行するプログラムであって、
前記携帯通信端末にユーザの指示に応じて自動撮影モードを設定するステップと、
前記自動撮影モードを設定するステップが自動撮影モードを設定した後、所定の装置状態の変化を検出するステップと、
前記装置状態検出ステップによって所定の装置状態の変化が検出されたことに応じて、自動で撮影を行うステップと、
前記撮影を行うステップによって撮影された画像を、予め記憶されている画像送信先へ送信するステップとを実行させるための、プログラム。
【発明の詳細な説明】
【技術分野】
【０００１】
本発明は、携帯通信端末、その端末機能を実行するための方法及びプログラムに関し、より特定的には、電話回線を通した指示により、不正使用等されたときに付属のカメラで自動撮影し、撮影した画像を自動送信する携帯通信端末、その端末機能を実行するための方法及びプログラムに関する。
【背景技術】
【０００２】
不正使用を防止する手段として、ダイヤルロック機能が設けられている携帯電話が存在する。ダイヤルロック機能とは、予め定められた暗証番号を入力しなければ使用できないようにする機能である。しかしながら、大抵のユーザは、この機能を利用していない。その理由は、使う度に暗証番号を入力しなければならないと言うことが面倒だからである。そのため、リモート操作によってダイヤルロックする携帯電話が提案されている。
【０００３】
携帯電話をリモート操作によりダイヤルロックする従来手法に関するものとして、特許文献１の公報に開示されたものがある。この公報に開示されたダイヤルロックの処理では、以下の手順を行うとしている。
【０００４】
図１２は、従来のダイヤル／データロック機能付き携帯電話の一例を示すブロック図である。ダイヤル／データロック機能付き携帯電話３１００は、無線部３０２１を備える。相手機３００との中継を行う基地局２００から送信される通信制御信号は、無線部３０２１を通じて携帯電話内の各種の制御を行う制御処理部３０１１で処理される。制御処理部３０１１は、通話ボタンやダイヤルボタンといった各種のボタン３０５１〜３０５３を使用者が操作することによって行われる入力の制御、表示装置３０３４に対する表示制御、スピーカ３０３１に対する呼出音制御、タイマ３０３３に対する制御、不揮発メモリを用いる制御用の第１メモリ３０４１の読み出し／書き込み処理、及び個人情報を管理するために用いる電話帳等の個人管理情報が格納されている第２メモリ３０４２の読み出し／書き込み処理等の各種制御を行う。ロック制御手段は、制御処理部３０１１の一部として備えられ、主として第１メモリ３０４１内に記憶されている各種の情報内容に基づき、各デバイス（ボタン３０５１〜３０５３、スピーカ３０３１、無線部３０２１等）に対する入出力制御により実現される。
【０００５】
次に動作を説明する。予め、ダイヤル／データロック機能付き携帯電話３１００の第１メモリ３０４１に、ロック処理の対象電話を特定するための電話番号として、ロック処理ＮＯ３４１１（相手機３００の発信者番号）を登録しておく。盗難や紛失により、ロック処理を行う場合は、予め登録したロック処理用の電話番号からダイヤル／データロック機能付き携帯電話３１００に対して電話をかける。ダイヤル／データロック機能付き携帯電話３１００は、基地局２００を介して送られてくる発信信号に含まれる発信者番号と第１メモリ３０４１のロック処理ＮＯ３４１１とを比較し、両方が一致するとき、ロック制御（ダイヤリングの抑制、あるいは第２メモリ３０４２に記憶されている個人情報の漏洩を防止するためのメモリロック）を実施する。
【０００６】
このように、予め登録したロック処理用の電話番号からの指示によって自動的にロック処理が動作するので、携帯電話の盗難や紛失に対するロック処理を第三者が介入することなくリモート操作で実行可能となる。
【特許文献１】特開２０００−１５１７９８号公報
【発明の開示】
【発明が解決しようとする課題】
【０００７】
しかしながら、上記のようなダイヤルロックを行う従来の携帯電話では、盗難や紛失した場合にロック処理を実施することはできるが、現在所持している人物または不正に使用しようとした人物の特定や、位置の特定を行うことができなかった。
【０００８】
それゆえ、本発明の目的は、盗難や紛失した場合に、付属のカメラで自動撮影し、撮影した画像を自動送信する機能を備えることで、現在所持している人物または不正に使用しようとした人物の特定や、位置の特定を行うことができる携帯通信端末を提供することである。
【課題を解決するための手段】
【０００９】
本発明の携帯通信端末は、盗難や紛失時に不正使用を防止する機能を有している。本発明の携帯通信端末は、設定記憶部と、自動撮影モード設定部と、装置状態監視部と、カメラ撮影部と、送信制御部とを備えている。設定記憶部は、撮影した画像を送信するための画像送信先を記憶する。自動撮影モード設定部は、ユーザの指示に応じて自動撮影モードの設定を行う。装置状態監視部は、自動撮影モードが設定された後、所定の装置状態の変化を検出する。カメラ撮影部は、装置状態監視部の指示に応じて撮影を行う。送信制御部は、撮影された画像を設定記憶部に予め登録されている画像送信先に送信する。
【００１０】
装置状態検出部が検出する所定の装置状態の変化とは、キーボード部、フリップ部（端末の外観形状）、及び端末に備えられるメモリカードスロット部の変化を検出することである。これらの変化を検出した後、カメラ撮影部で撮影を行う。
【００１１】
好ましい実施形態では、設定記憶部は、予めカメラ撮影処理判断用の発信者番号と暗証番号とを記憶している。まず、自動撮影モード設定部は、電話回線を通して受信する信号に含まれる発信者番号と設定記憶部に記憶されている発信者番号とを比較し、両方の発信者番号が一致する場合に、暗証番号によるユーザ認証を行う。次に、自動撮影モード設定部は、電話回線を通して受信する信号に含まれる暗証番号と設定記憶部に記憶されている暗証番号とを比較し、両方の暗証番号が一致する場合に、自動撮影モードを設定する。なお、自動撮影モード設定部は、暗証番号を比較することを省略し、発信者番号が一致する場合に、直ちに自動撮影モードを設定してもよい。
【００１２】
別の好ましい実施形態では、上記設定記憶部は、ユーザ認証用の暗証番号を記憶する。上記自動撮影モード設定部は、ユーザが携帯通信端末のキーボード部を操作することで入力された暗証番号と、設定記憶部に記憶されている暗証番号とを比較し、両方の暗証番号が一致する場合に、自動撮影モードを設定する。
【００１３】
別の好ましい実施形態では、上記カメラ撮影部は、画像認証を行い、カメラに人間の顔が写っていることを確認してから撮影を行う。
【００１４】
上述した携帯通信端末の自動撮影モード設定部、装置状態監視部、カメラ撮影部及び送信制御部が行うそれぞれの処理は、一連の処理手順を与える不正使用を防止する方法として捉えることができる。すなわち、携帯通信端末において、ユーザの指示に応じて自動撮影モードを設定し、所定の装置状態の変化を検出し、所定の装置状態の変化が検出されたことに応じて自動で撮影し、撮影された画像を予め記憶されている画像送信先へ送信する、不正使用を防止する方法である。
【００１５】
好ましくは、この不正使用を防止する方法は、一連の処理手順を携帯通信端末に実行させるためのプログラムの形式で提供される。このプログラムは、コンピュータ読み取り可能な記憶媒体に記憶されてもよい。
【発明の効果】
【００１６】
以上のように本発明においては、付属のカメラで自動的に撮影する機能を備えることで、現在所持している人物または不正に使用しようとした人物（以下、不正使用者らと記す）の姿や、周りの景色を撮影することができる。また、撮影した画像を自動送信することで、不正使用者らの姿や周りの景色を知ることができる。さらに、カメラに不正使用者らの顔が写っていることを確認してから撮影を行うことで、不正使用者らの顔を確実に撮影することができ、無駄な撮影を減らすことができる。これにより、盗難や紛失時に不正使用者らを特定することができ、また、周りの景色から自身の位置を特定する情報を得ることができる携帯通信端末を提供することが可能となる。
【発明を実施するための最良の形態】
【００１７】
（第１の実施形態）
図１は、本発明の第１の実施形態に係る携帯通信端末の概要構成を示すブロック図である。図１において、携帯通信端末１００は、基地局２００を中継することにより、相手機３００と無線通信を行うことができる。携帯通信端末１００は、受信制御部１０１と、比較部１０２と、記憶部１０３と、制御部１０４と、設定保持部１０５と、カメラ制御部１０６と、カメラ部１０７、装置状態監視部１０８と、キー押下検出部１０９と、キーボード部１１０と、フリップ開閉検出部１１１と、フリップ部１１２と、メモリカード状態検出部１１３と、メモリカードスロット部１１４と、送信制御部１１５と、表示部１１６とを備える。
【００１８】
まず、本第１の実施形態に係る携帯通信端末の各構成の概要を説明する。
受信制御部１０１と送信制御部１１５は、基地局２００と通信を行う。記憶部１０３は、比較部１０２で用いられる各種の情報内容を格納するためのメモリである。図２は、図１における記憶部１０３に格納さている各種の情報内容の一例を示す図である。図２において、記憶部１０３は、発信者比較用ＮＯ１０３１と暗証番号１０３２を格納する。発信者比較用ＮＯ１０３１とは、ユーザが予め登録できる定数で、カメラ撮影処理判断用の発信者番号である。暗証番号１０３２とは、ユーザが予め登録できる定数で、ユーザ認証用の認証番号である。
【００１９】
設定保持部１０５は、制御部１０４と送信制御部１１５とで用いられる各種の情報要素を格納するためのメモリである。図３は、図１における設定保持部１０５に格納されている各種の情報内容の一例を示す図である。図３において、設定保持部１０５は、自動撮影モードフラグ１０５１と、画像送信先１０５２を格納する。自動撮影モードフラグ１０５１とは、図１においてキーボード部１１０、フリップ部１１２又はメモリカードスロット部１１４の変化を検出すると自動的にカメラ撮影を行うモード（以下、自動撮影モードと記す）が設定されたことを示す情報である。画像送信先１０５２とは、ユーザが登録できるアドレスで、カメラ部１０７で撮影された画像を送信するためのアドレスである。画像送信先は１つのアドレスであってもよいし、複数のアドレスであってもよい。例えば、１つのアドレスを自宅のＰＣのアドレス、もう１つのアドレスを通信キャリア（携帯通信端末のサービス提供会社）のアドレスとすることで、撮影された画像を自宅のＰＣと通信キャリアとに送信することができる。自宅のＰＣに送信された画像をもとに自分で不正使用者らを探すことや、通信キャリアに依頼することで不正使用者らを探すことが可能となる。なお、各種の情報要素を格納するためのメモリを、記憶部１０３と設定保持部１０５とに分ける構成としたが、設定記憶部として１つの構成とすることができる。
【００２０】
比較部１０２は、発信者番号と暗証番号の判定を行う。発信者番号の判定を行う場合、比較部１０２は、発信信号に含まれる発信者番号と予め記憶部１０３に登録されている発信者比較用ＮＯ１０３１とを比較し、両方が一致する場合に、発信者番号一致を判定する。これにより、予め登録した発信者比較用ＮＯ１０３１からの発信信号（自動撮影モード設定の指示）と、一般電話からの発信信号（通常の通話）とを区別することができる。また、暗証番号の判定を行う場合、比較部１０２は、受信した暗証番号と予め記憶部１０３に登録されている暗証番号１０３２とを比較し、両方が一致する場合に、暗証番号一致を判定する。これにより、カメラ撮影処理判断用のユーザ認証を行うことができる。
【００２１】
制御部１０４は、設定保持部１０５への情報の読み出し／書き込み処理、カメラ制御部１０６への自動撮影モードの指示、装置状態監視部１０８への装置状態監視の指示、及び表示部１１６への表示の指示を行う。なお、比較部１０２と制御部１０４は、自動撮影モードを設定するための動作を実施するので、まとめて自動撮影モード設定部とすることができる。
【００２２】
装置状態検出部１０８は、キー押下検出部１０９と、フリップ開閉検出部１１１と、メモリカード状態検出部１１３とを監視し、装置状態の変化があれば、カメラ制御部１０６に通知する。
【００２３】
キーボード部１１０は、ユーザが携帯通信端末１００に対して指示を与えるための、操作ボタンなどである。キーボード部１１０の変化を検出することで、不正使用者らのキー押下を検出することができる。キー押下検出部１０９は、キーボード部１１０の変化を検出し、装置状態監視部１０８に通知する。また、キーボード部１１０は、キー押下検出部１０９、及び装置状態監視部１０８を介して、制御部１０４と比較部１０２とに入力信号を送ることができる。
【００２４】
フリップ部１１２は、端末の形状に応じて異なる部分であり、例えば、折り畳みを開閉するときの開閉（フリップ）部分、折り畳みを回転するときの回転部分、あるいはスライドを伸縮するときのスライド部分などである。フリップ部１１２の変化を監視することで、不正使用者らが行う端末の外観形状の変化を検出することができる。フリップ開閉検出部１１１は、フリップ部１１２の変化を検出し、装置状態監視部１０８に通知する。
【００２５】
メモリカードスロット部１１４は、メモリカードを抜き差しするためのメモリカードスロットである。メモリカードスロット部１１４の変化を検出することで、不正使用者らのメモリカードの抜き差しを検出することができる。メモリカード状態検出部１１３は、メモリカードスロット部１１４の変化を検出し、装置状態監視部１０８に通知する。
【００２６】
カメラ制御部１０６は、装置状態監視部１０８が装置状態の変化を検出すると、カメラ部１０７に撮影を指示する。カメラ部１０７は、不正使用者らの姿や周りの景色を撮影する。なお、カメラ制御部１０６とカメラ部１０７とを合わせて、カメラ撮影部とすることができる。
【００２７】
表示部１１６は、制御部１０４からの指示に応じてユーザに指示や状態を通知するための液晶表示装置などである。例えば、カメラ撮影し、撮影した画像の送信を行った後で、“あなたは撮影されました。撮影された画像は自動で送信されました。直ちに本携帯通信端末を返却してください。”等のメッセージを表示することにより、不正使用者らに対して警告等を行うことができる。
【００２８】
次に、図４〜図８を参照して、本発明の第１の実施形態に係る携帯通信端末の動作を説明する。図４は、本発明の第１の実施形態に係る携帯通信端末の全体動作を示すフローチャートである。図５は、図４における自動撮影モード設定の詳細動作を示すフローチャートである。図６〜図８は、図４における装置状態監視処理の詳細動作を示すフローチャートであり、図６は装置状態監視処理がキーボード部の変化を検出したときの詳細動作を示すフローチャートを、図７は装置状態監視処理がフリップ部の変化を検出したときの詳細動作を示すフローチャートを、図８は装置状態監視処理がメモリカードスロット部の変化を検出したときの詳細動作を示すフローチャートである。
【００２９】
まず、自動撮影モード設定までの動作を説明する。
図４を参照して、受信制御部１０１は、基地局２００から送信されてくる発信信号から発信者番号を取得し、発信者番号を比較部１０２に送る（ステップＳ１０１）。比較部１０２は、受信制御部１０１から発信者番号を受け取ると、記憶部１０３から発信者比較用ＮＯ１０３１の読み出しを行う。次に、比較部１０２は、受信制御部１０１から受け取った発信者番号と記憶部１０３から読み出した発信者比較用ＮＯ１０３１とを比較し、両方が一致した場合に発信者番号一致を、一致しなかった場合に発信者番号不一致を、制御部１０４に通知する（ステップＳ１０２）。
【００３０】
制御部１０４は、比較部１０２から発信者番号一致の通知を受けると、送信制御部１１５に対して暗証番号要求の通知を行う。送信制御部１１５は、制御部１０４から暗証番号要求の通知を受けると、暗証番号の要求を促す信号を基地局２００に対して送信する。暗証番号の入力を促す信号とは、“カメラ撮影を行うための暗証番号を入力してください”等のメッセージを相手機３００に対して促す信号である（ステップＳ１０３）。
また、制御部１０４が、比較部１０２から発信者番号不一致の通知を受けたときの動作については後に説明する。
【００３１】
受信制御部１０１は、基地局２００から送信されてくる信号から暗証番号を取得し比較部１０２に送る（ステップＳ１０４）。比較部１０２は、受信制御部１０１から暗証番号を受け取ると、記憶部１０３から暗証番号の読み出しを行う。次に、比較部１０２は、受信制御部１０１から受け取った暗証番号と記憶部１０３から受け取った暗証番号１０３２とを比較し、両方が一致した場合に暗証番号一致を、一致しなかった場合に暗証番号不一致を、制御部１０４に通知する（ステップＳ１０５）。
【００３２】
制御部１０４は、比較部１０２から暗証番号一致の通知を受けると、設定保持部１０５とカメラ制御部１０６に対して自動撮影モード設定指示を行う（ステップＳ１０６）。ステップＳ１０６により、携帯通信端末１００は装置状態の変化を検出すると自動的にカメラ撮影を行うモード（自動撮影モード）の設定処理を行う（ステップＳ１０７）。自動撮影モード設定処理の詳細動作は、図５を用いて説明する。
また、制御部１０４が、比較部１０２から暗証番号不一致の通知を受けたときの動作については後に説明する。
【００３３】
図５を参照して、制御部１０４は、比較部１０２から暗証番号一致を受けると、自動撮影モードフラグ１０５１に自動撮影モードを設定し、設定保持部１０５に書き込みを行う（ステップＳ１０７１）。次に、制御部１０４は、カメラ制御部１０６に、自動撮影モード設定の通知を行う。カメラ制御部１０６は、制御部１０４から自動撮影モード設定の通知を受けると自動撮影モードとなり、装置状態監視部１０８から装置状態変化の通知を待つ状態となる（ステップＳ１０７２）。
以上で、自動撮影モードの設定が完了する。
【００３４】
次に、自動撮影モード設定後の動作を説明する。
図４を参照して、制御部１０４は、装置状態監視部１０８に、装置状態の監視を指示する（ステップＳ１０８）。装置状態監視部１０８は、制御部１０４から装置状態監視の指示を受けると、キー押下検出部１０９と、フリップ開閉検出部１１１と、メモリカード状態検出部１１３とに対して装置状態監視処理を開始する（ステップＳ１０９）。装置状態監視処理の詳細動作は、図６，７，８を参照して説明する。
【００３５】
（１）装置状態監視処理がキーボード部の変化を検出したとき
図６を参照して、装置状態監視部１０８は、キー押下検出部１０９からキーボード部１１０の変化を検出すると（ステップＳ１０９１）、カメラ制御部１０６に装置状態変化を通知する（ステップＳ１０９２）。キーボード部の変化とは、不正使用者らのキー押下に伴う変化である。
【００３６】
（２）装置状態監視処理がフリップ部の変化を検出したとき
図７を参照して、装置状態監視部１０８は、フリップ開閉検出部１１１からフリップ部１１２の変化を検出すると（ステップＳ１０９３）、カメラ制御部１０６に装置状態変化を通知する（ステップＳ１０９４）。フリップ部の変化とは、不正使用者らが行う端末の外観形状の変化であり、例えば、折り畳みを開閉することに伴う端末の変化である。
【００３７】
（３）装置状態監視処理がメモリカードスロット部の変化を検出したとき
図８を参照して、装置状態監視部１０８は、メモリカード状態検出部１１３からメモリカードスロット部１１４の変化を検出すると（ステップＳ１０９５）、カメラ制御部１０６に装置状態変化を通知する（ステップＳ１０９６）。メモリカードスロット部の変化とは、不正使用者らのメモリカードの抜き差しに伴う変化である。
【００３８】
図４を参照して、カメラ制御部１０６は、装置状態監視部１０８から装置状態変化を通知されると、カメラ部１０７に対して撮影指示を送る。カメラ部１０７は、カメラ制御部１０６から撮影指示を受けると撮影を行い（ステップＳ１１０）、撮影した画像をカメラ制御部１０６に送る。カメラ制御部１０６は、カメラ部１０７から受けた画像を送信制御部１１５に送る。送信制御部１１５は、カメラ制御部１０６から画像を受けると、設定保持部１０５から画像送信先１０５２を読み出して（ステップＳ１１１）、画像を画像送信先のアドレス宛てに送信する（ステップＳ１１２）。
【００３９】
送信制御部１１５は、画像の送信が終了すると、画像送信完了を制御部１０４に対して通知する。制御部１０４は、送信制御部１１５から画像送信完了を受けると、表示部１１６に対してメッセージ表示の指示を送る。表示部１１６は、制御部からメッセージ表示の指示を受けると、警告等のメッセージを表示する（ステップＳ１１３）。
【００４０】
制御部１０４が、比較部１０２から発信者番号不一致あるいは暗証番号不一致を受けた場合、携帯通信端末１００に予め用意されている通常の呼設定処理を行う（ステップＳ１１４）。ステップＳ１１４により予め登録されている電話番号以外からの発信信号や、暗証番号不一致の場合は、通常の通話として処理することができる。このことを利用すると、予め登録されている電話番号から通常の通話を行いたい場合は、発信者番号非表示での発呼、もしくは、わざと暗証番号を間違えることにより実現することができる。
【００４１】
なお、本発明の上記第１の実施形態では、自動撮影モードを設定するときに暗証番号の入力を求めたが、発信者番号が一致すれば暗証番号の入力を行わずに（ステップＳ１０３〜ステップＳ１０５を行わずに）自動撮影モードの設定を行ってもよい。この場合、暗証番号を入力するよりも敏速に自動撮影モードの設定を行うことができる。
【００４２】
また、本発明の上記第１の実施形態では、制御部１０４にロック制御手段を持たせ（従来技術）、自動撮影モードの設定と同時にロック制御を行ってもよい。これにより、携帯通信端末１００は、ロック制御を行った後、装置状態の変化を検出して自動撮影し、撮影した画像を自動送信することができる。
【００４３】
また、本発明の上記第１の実施形態では、基地局２００を中継して相手機３００から自動撮影モードの設定を行ったが、携帯通信端末１００のキーボード部１１０を直接操作することより、自動撮影モードの設定を行ってもよい。これにより、通信手段を用いないでも自動撮影モードの設定を行うことができる。
【００４４】
また、本発明の上記第１の実施形態では、撮影した画像を予め設定保持部１０５に記憶されている画像送信先に送信したが、撮影した画像を保存するためのメモリ領域を設定記憶部に用意することにより携帯通信端末１００の中に保存してもよい。これにより、撮影した画像を携帯通信端末の中に残すことができる。
【００４５】
また、本発明の上記第１の実施形態では、メモリカード状態検出部１１３はメモリカードの抜き差しを検出して、装置状態の変化を検出する構成としたが、メモリカードの内容を記憶するためのメモリ領域を用意しメモリカードの内容を記憶することにより、メモリカードを差し替えたときメモリ領域に記憶されているメモリカードの内容と、新しく差し替えたメモリカードの内容とを比較し、両方の内容が異なるときだけ装置状態の変化を検出する構成としてもよい。これにより、例えば、ＵＳＩＭカードの差し替えによる携帯通信端末本体の盗難と、記録用のメモリカードの差し替えとを区別することができ、無用な撮影の回数を減らすことができる。
【００４６】
またさらに、本発明の上記第１の実施形態では、装置状態の変化を検出したときだけ自動撮影を行うようにしたが、一定時間装置状態に変化がないときに自動で撮影するようにしてもよい。これにより、例えば、携帯通信端末がどこかに置き忘れられているなどの理由で装置状態に変化がないときでも、周りの景色を自動撮影し、撮影した画像を自動送信することで、ユーザは画像を元にして携帯通信端末の位置の特定に役立つ情報を得ることができる。
【００４７】
以上のように、本発明の第１の実施形態に係る携帯通信端末によれば、付属のカメラで自動的に撮影する機能を備えることで、不正使用者らの姿や周りの景色を撮影することができる。また、撮影した画像を自動送信することで、不正使用者らの姿や周りの景色を知ることができる。これにより、携帯通信端末は、盗難や紛失時に不正使用者らを特定することができる。また、携帯通信端末は、不正使用者らの姿や、周りの景色から自身の位置を特定する情報を得ることができる。
【００４８】
（第２の実施形態）
上記第１の実施形態に係る携帯通信端末は、自動撮影モードが設定された後は、装置状態の変化を検出すると無条件にカメラ撮影を行う携帯通信端末である。しかし、不正使用者らを特定するために撮影を行う場合は、不正使用者らの顔を撮影する必要である。無条件にカメラ撮影していたのでは撮影した画像に不正使用者らの顔が写っていない可能性があり、撮影した画像が無駄になることがある。そこで、本第２の実施形態では、自動撮影モードが設定された後、装置状態の変化を検出すると無条件にカメラ撮影を行うのではなく、装置状態の変化を検出したときカメラに不正使用者らの顔が写っていることを確認してから、カメラ撮影を行うこととする携帯通信端末を説明する。
【００４９】
図９は、本発明の第２の実施形態に係る携帯通信端末１００の概要構成を示すブロック図である。図９において、携帯通信端末１００は、基地局２００を中継することにより、相手機３００と無線通信を行うことができる。携帯通信端末１００は、受信制御部１０１と、比較部１０２と、記憶部１０３と、制御部１０４と、設定保持部１０５と、カメラ制御部９０６と、カメラ部９０７、装置状態監視部１０８と、キー押下検出部１０９と、キーボード部１１０と、フリップ開閉検出部１１１と、フリップ部１１２と、メモリカード状態検出部１１３と、メモリカードスロット部１１４と、送信制御部１１５と、表示部１１６と、画像認証部９１７とを備える。
図９に示すように、本発明の第２の実施形態に係る携帯通信端末は、図１に示す第１の実施形態の携帯通信端末と比較して、カメラ制御部９０６、カメラ部９０７及び画像認証部９１７が異なる。図９において、図１の参照符号を付している構成は、上記第１の実施形態で説明した機能を実現する構成であるので、ここでの説明は省略する。以下、この異なる部分を中心に本第２の実施形態の説明を行う。
【００５０】
カメラ制御部９０６は、カメラ部９０７に写り込んでいる画像を画像認証部９１７に送る。また、カメラ制御部９０６は、画像認証部９１７から人間の顔が写っていると通知されると、カメラ部９０７に撮影を指示する。このようにして、カメラ部９０７は、不正使用者らの顔を確実に撮影することができる。
【００５１】
画像認証部９１７は、カメラ部９０７に写り込む画像に人間の顔が写っているかどうかを判断する。画像認証部９１７は、カメラ制御部９０６からカメラ部９０７に写り込む画像を受けると、画像認証処理を行い、画像に人間の顔が写っているかどうかを判断する。画像認証部９１７は、画像に人間の顔が写っていると判断すると、画像に人間の顔が写っていることをカメラ制御部９０６に通知する。画像認証部９１７で利用する画像認証処理だが、例えば、パターンマッチングの手法により行うことができる（既存技術）。パターンマッチングの手法によると、カメラ部９０７に写り込む画像から被写体の輪郭を抽出し、抽出した輪郭と予め登録されてある人間の顔のパターンとを比較することにより、人間の顔を判断することができる。また、カメラ制御部９０６とカメラ部９０７と画像認証部９１７とを合わせて、カメラ撮影部とすることができる。
【００５２】
次に、図１０、図１１を参照して、本発明の第２の実施形態に係る携帯通信端末の動作を説明する。図１０は、本発明の第２の実施形態に係る携帯通信端末の全体動作を示すフローチャートである。図１１は、図１０における画像認証処理の詳細動作を示すフローチャートである。以下、図１０、図１１を参照しながら、携帯通信端末の動作について説明する。なお、図１０において図４と同じ処理動作を行うステップについては、同一のステップ番号を付している。
【００５３】
図１０を参照して、自動撮影モード設定処理（ステップＳ１０７）後の、装置状態監視指示（ステップＳ１０８）と装置状態検出処理（ステップＳ１０９）まで第１の実施形態と同じ処理動作を行う。
【００５４】
カメラ制御部９０６が、装置状態監視部１０８から装置状態変化を通知されると（ステップＳ１０９）、画像認証処理を開始する（ステップＳ９１５）。画像認証処理の詳細動作は、図１１を参照して説明する。
図１１を参照して、カメラ制御部９０６は、カメラ部９０７に対して、カメラに写り込んでいる画像を要求する。カメラ制御部９０６は、カメラ部９０７からカメラに写り込んでいる画像を受けると、画像認証部９１７に送る（ステップＳ９１５１）。
【００５５】
画像認証部９１７は、カメラ制御部９０６からカメラ部９０７に写り込んでいる画像を受けると、画像に人間の顔が写っているかどうかを判断する（ステップＳ９１５２）。画像認証部９１７は、画像に人間の顔が写っていると判断すると、カメラ制御部９０６に人間の顔が写っていることを通知する。カメラ制御部９０６は、画像認証部９１７から人間の顔が写っていることを通知されると、カメラ部９０７に撮影の指示を送る（ステップＳ９１５３）。
画像認証処理（ステップＳ９１５２）で、人間の顔と判断されなかった場合は、装置状態検出処理（ステップＳ１０９）に戻り、再び同じ動作を繰り返す。
【００５６】
図１０を参照し、カメラ部９０７は、カメラ制御部９０６からの撮影指示により撮影を行う（ステップＳ９１０）。撮影後は、第１の実施形態と同じ処理動作を行う。送信制御部１１５は、画像送信先を読み込み（ステップＳ１１１）、読み込んだ画像送信先に画像を送信する（ステップＳ１１２）。制御部１０４は、カメラ撮影した画像を送信した旨のメッセージを表示部１１６に表示する（ステップＳ１１３）。
【００５７】
以上のように、本発明の第２の実施形態に係る携帯通信端末によれば、自動撮影モードが設定された後、装置状態の変化を検出すると無条件にカメラ撮影を行うのではなく、装置状態の変化を検出したときカメラに不正使用者らの顔が写っていることを確認してから撮影を行う。そのため、携帯通信端末は、不正使用者らの顔を確実に撮影することができ、無駄な撮影を減らすことができる。
【産業上の利用可能性】
【００５８】
本発明の携帯通信端末は、盗難や紛失時に不正使用を防止すること等に適しており、特に不正使用者や自身の位置を特定する情報を得る場合等に有用である。
【図面の簡単な説明】
【００５９】
【図１】本発明の第１の実施形態に係る携帯通信端末の概要構成を示すブロック図
【図２】図１における記憶部１０３に格納さている各種の情報内容の一例を示す図
【図３】図１における設定保持部１０５に格納されている各種の情報内容の一例を示す図
【図４】本発明の第１の実施形態に係る携帯通信端末の全体動作を示すフローチャート
【図５】図４における自動撮影モード設定の詳細動作を示すフローチャート
【図６】装置状態監視処理がキーボード部の変化を検出したときの詳細動作を示すフローチャート
【図７】装置状態監視処理がフリップ部の変化を検出したときの詳細動作を示すフローチャート
【図８】装置状態監視処理がメモリカードスロット部の変化を検出したときの詳細動作を示すフローチャート
【図９】本発明の第２の実施形態に係る携帯通信端末１００の概要構成を示すブロック図
【図１０】本発明の第２の実施形態に係る携帯通信端末の全体動作を示すフローチャート
【図１１】図１０における画像認証処理の詳細動作を示すフローチャート
【図１２】従来のダイヤル／データロック機能付き携帯電話の一例を示すブロック図
【符号の説明】
【００６０】
１００、３１００  携帯通信端末
１０１  受信制御部
１０２  比較部
１０３  記憶部
１０３１  発信者比較用ＮＯ
１０３２  暗証番号
１０４  制御部
１０５  設定保持部
１０５１  撮影モードフラグ
１０５２  画像送信先
１０６、９０６  カメラ制御部
１０７、９０７  カメラ部
１０８  装置状態監視部
１０９  キー押下検出部
１１０  キーボード部
１１１  フリップ開閉検出部
１１２  フリップ部
１１３  メモリカード状態検出部
１１４  メモリカードスロット部
１１５  送信制御部
１１６  表示部
２００  基地局
３００  相手機
９１７  画像認証部
３０１１  制御処理部
３０２１  無線部
３０３１  スピーカ
３０３２  マイク
３０３３  タイマ
３０３４  表示装置
３０４１、３０４２  メモリ
３０５１、３０５２、３０５３  ボタン
３４１１  ロック処理ＮＯ
【図１】
2005123817.tif 000003
【図２】
2005123817.tif 000004
【図３】
2005123817.tif 000005
【図４】
2005123817.tif 000006
【図５】
2005123817.tif 000007
【図６】
2005123817.tif 000008
【図７】
2005123817.tif 000009
【図８】
2005123817.tif 000010
【図９】
2005123817.tif 000011
【図１０】
2005123817.tif 000012
【図１１】
2005123817.tif 000013
【図１２】
2005123817.tif 000014